(57)【要約】【課題】構成の簡素化が図れ、処理負荷が増大することなく、適切な操作信号を外部に出力できるリモコン信号受信装置を提供すること。【解決手段】リモコン信号受信装置３０を構成する制御手段３２は、各受信手段３１のうちいずれかの受信手段３１を選択し、選択した受信手段３１からの操作信号を外部に出力する通常モード、および各受信手段３１を有効または無効にそれぞれ設定する設定モードの各モードに移行させるモード移行部３２１と、設定モード時において、各受信手段３１からの各操作信号の出力状態に基づいて、各受信手段３１を有効または無効にそれぞれ設定する有効無効設定部３２２と、通常モード時において、有効無効設定部３２２にて有効に設定された受信手段３１を選択し、選択した受信手段３１からの操作信号を外部に出力する受信手段選択部３２３とを備える。【選択図】図１
2009077352.tif 000002
【特許請求の範囲】
【請求項１】
リモートコントローラからのリモコン信号を受信し、受信したリモコン信号に応じた操作信号を出力する複数の受信手段と、前記複数の受信手段を制御する制御手段とを備えたリモコン信号受信装置であって、
前記制御手段は、
前記複数の受信手段のうちいずれかの受信手段を選択し、選択した前記受信手段からの前記操作信号を外部に出力する通常モード、および前記複数の受信手段を有効または無効にそれぞれ設定する設定モードの各モードに移行させるモード移行部と、
前記設定モード時において、前記複数の受信手段からの各前記操作信号の出力状態に基づいて、前記複数の受信手段を有効または無効にそれぞれ設定する有効無効設定部と、
前記通常モード時において、前記有効無効設定部にて有効に設定された前記受信手段を選択し、選択した前記受信手段からの前記操作信号を外部に出力する受信手段選択部とを備えている
ことを特徴とするリモコン信号受信装置。
【請求項２】
リモートコントローラからのリモコン信号を受信し、受信したリモコン信号に応じた操作信号を出力する複数の受信手段と、前記複数の受信手段を制御する制御手段とを備えたリモコン信号受信装置において、
前記制御手段は、
前記複数の受信手段のうちいずれかの受信手段を選択し、選択した前記受信手段からの前記操作信号を外部に出力する通常モード、および前記複数の受信手段の優先順位を設定する設定モードの各モードに移行させるモード移行部と、
前記設定モード時において、前記複数の受信手段からの各前記操作信号の出力レベルに基づいて、前記複数の受信手段の優先順位を設定する優先順位設定部と、
前記通常モード時において、前記優先順位設定部にて設定された優先順位に基づいて前記受信手段を選択し、選択した前記受信手段からの前記操作信号を外部に出力する受信手段選択部とを備えている
ことを特徴とするリモコン信号受信装置。
【請求項３】
リモートコントローラからのリモコン信号を受信し、受信したリモコン信号に応じた操作信号を出力する複数の受信手段と、前記複数の受信手段を制御する制御手段とを備えたリモコン信号受信装置の制御方法であって、
前記制御手段が、
前記複数の受信手段のうちいずれかの受信手段を選択し、選択した前記受信手段からの前記操作信号を外部に出力する通常モード、および前記複数の受信手段を有効または無効にそれぞれ設定する設定モードの各モードに移行させるモード移行ステップと、
前記設定モード時において、前記複数の受信手段からの各前記操作信号の出力状態に基づいて、前記複数の受信手段を有効または無効にそれぞれ設定する有効無効設定ステップと、
前記通常モード時において、前記有効無効設定ステップにて有効に設定した前記受信手段を選択し、選択した前記受信手段からの前記操作信号を外部に出力する受信手段選択ステップとを実行する
ことを特徴とする制御方法。
【請求項４】
リモートコントローラからのリモコン信号を受信し、受信したリモコン信号に応じた操作信号を出力する複数の受信手段と、前記複数の受信手段を制御する制御手段とを備えたリモコン信号受信装置の制御方法であって、
前記制御手段が、
前記複数の受信手段のうちいずれかの受信手段を選択し、選択した前記受信手段からの前記操作信号を外部に出力する通常モード、および前記複数の受信手段の優先順位を設定する設定モードの各モードに移行させるモード移行ステップと、
前記設定モード時において、前記複数の受信手段からの各前記操作信号の出力レベルに基づいて、前記複数の受信手段の優先順位を設定する優先順位設定ステップと、
前記通常モード時において、前記優先順位設定ステップにて設定した優先順位に基づいて前記受信手段を選択し、選択した前記受信手段からの前記操作信号を外部に出力する受信手段選択ステップとを実行する
ことを特徴とする制御方法。
【請求項５】
請求項１または請求項２に記載のリモコン信号受信装置と、前記リモコン信号受信装置から出力された操作信号に基づいて、リモートコントローラの入力操作に応じた制御を実施する主制御装置とを備えていることを特徴とする電子機器。
【請求項６】
請求項５に記載の電子機器において、
当該電子機器は、光源装置と、前記光源装置から射出された光束を画像情報に応じて変調する光変調装置と、前記光変調装置にて変調された光束を拡大投射する投射光学装置とを備えたプロジェクタである
ことを特徴とする電子機器。
【発明の詳細な説明】
【技術分野】
【０００１】
本発明は、リモートコントローラからのリモコン信号を受信し、受信したリモコン信号に応じた操作信号を出力する複数の受信手段と、前記複数の受信手段を制御する制御手段とを備えたリモコン信号受信装置、制御方法、および電子機器に関する。
【背景技術】
【０００２】
従来、プロジェクタ等の電子機器では、利用者による入力操作を可能とする操作手段として、装置本体に設けられた操作パネルの他、遠隔操作可能とするリモートコントローラ（以下、リモコンと記載する）を備えた構成が多用される。また、このような電子機器では、装置本体に設けられるリモコン信号受信装置として、種々の場所から利用者がリモコンを操作した場合であっても、リモコンから送信されるリモコン信号を受信できるように、複数の受信手段を設けた技術が提案されている。
ここで、プロジェクタのような電子機器では、装置本体が天井に吊り下げられた状態で設置されたり、所定の高さ位置に設置されたりして使用される場合が多い。このように設置された場合、装置本体に設けられた複数の受信手段は、天井に取り付けられた蛍光灯等の照明器具（ノイズ源）から出力される光や電磁波等のノイズの影響を受けやすいものである。そして、受信手段がノイズ源からのノイズとリモコン信号とを同時に受信した場合には、リモコン信号受信装置は、リモコン信号の解読が困難なものとなり、不適切な操作信号を外部に出力してしまう。このため、電子機器は、リモコン信号受信装置からの不適切な操作信号により、利用者によるリモコンの入力操作に応じた適切な動作を行わず、誤動作する恐れがある。
【０００３】
そこで、ノイズ源の近傍に設置されていても、適切な操作信号を外部に出力するリモコン信号受信装置が提案されている（例えば、特許文献１参照）。
特許文献１に記載の技術では、リモコン信号受信装置は、リモコン信号を受信する複数の受信部と、各受信部にそれぞれ接続される複数のデコーダと、各デコーダから出力される各デコード信号（操作信号）のうちいずれかのデコード信号を選択するデコーダ選択部とを備える。ここで、デコーダは、受信したリモコン信号中の識別情報を抽出し、この識別情報が予め登録された登録識別情報に該当したとき、受信したリモコン信号の有効性を示す有効信号を出力する。そして、デコーダ選択部は、有効信号を出力しているデコーダのデコード信号のみを採用する。この結果、複数の受信部ののうちいずれかにノイズ成分が入力されても、他の受信部にて受信した正常なリモコン信号をデコードしてデコード信号を出力することで、電子機器の誤動作を回避している。
【０００４】
【特許文献１】特開２００１−１７７８７９号公報
【発明の開示】
【発明が解決しようとする課題】
【０００５】
しかしながら、特許文献１に記載の技術では、リモコン信号中に識別情報を含める必要がある。すなわち、リモコンの設計変更が必要となる。
また、リモコン信号中の識別情報の抽出、識別情報と登録識別情報との照合等が必要なため、デコーダの回路構成が複雑化する。
さらに、リモコン信号を受信する度に、デコーダによる上述した抽出、照合等の処理、デコーダ選択部による上述した選択の処理を実行するため、リモコン信号受信装置の処理負荷が増大する。
したがって、リモコン信号受信装置において、構成の簡素化が図れ、処理負荷が増大することなく、適切な操作信号を外部に出力できる技術が要望されている。
【０００６】
本発明の目的は、構成の簡素化が図れ、処理負荷が増大することなく、適切な操作信号を外部に出力できるリモコン信号受信装置、制御方法、および電子機器を提供することにある。
【課題を解決するための手段】
【０００７】
本発明のリモコン信号受信装置は、リモートコントローラからのリモコン信号を受信し、受信したリモコン信号に応じた操作信号を出力する複数の受信手段と、前記複数の受信手段を制御する制御手段とを備えたリモコン信号受信装置であって、前記制御手段は、前記複数の受信手段のうちいずれかの受信手段を選択し、選択した前記受信手段からの前記操作信号を外部に出力する通常モード、および前記複数の受信手段を有効または無効にそれぞれ設定する設定モードの各モードに移行させるモード移行部と、前記設定モード時において、前記複数の受信手段からの各前記操作信号の出力状態に基づいて、前記複数の受信手段を有効または無効にそれぞれ設定する有効無効設定部と、前記通常モード時において、前記有効無効設定部にて有効に設定された前記受信手段を選択し、選択した前記受信手段からの前記操作信号を外部に出力する受信手段選択部とを備えていることを特徴とする。
【０００８】
ここで、モード移行部は、利用者によるリモコンの入力操作により、モードを移行する旨のモード移行情報が入力されることで、通常モードおよび設定モードの各モードを移行させる構成としてもよく、あるいは、リモコン信号受信装置が搭載される電子機器の起動時に、自動的に通常モードから設定モードに移行させる構成としても構わない。
【０００９】
本発明では、リモコン信号受信装置を構成する制御手段は、モード移行部と、有効無効設定部と、受信手段選択部とを備えているので、以下に示すように、適切な操作信号を外部に出力できる。
先ず、モード移行部は、例えば、利用者によるリモコンの入力操作によりモード移行情報が入力されることで、受信手段から出力される操作信号に基づいて利用者によるモード移行情報の入力を認識し、通常モードから設定モードに移行させる（モード移行ステップ）。
ここで、複数の受信手段のうち、ノイズ源の近傍に位置付けられノイズの影響を受けている受信手段は、ノイズを受信することで、リモコン信号ではなくノイズに応じた操作信号を継続して出力することとなる。
そこで、有効無効設定部は、設定モード時において、各受信手段からの各操作信号の出力状態を認識し、継続して操作信号が出力されている受信手段を「無効」に設定し、継続して操作信号が出力されていない受信手段を「有効」に設定する（有効無効設定ステップ）。すなわち、有効無効設定部は、ノイズの影響を受けている受信手段を「無効」に設定し、ノイズの影響を受けていない受信手段を「有効」に設定する。
そして、受信手段選択部は、通常モード時において、「有効」に設定された受信手段を選択し、選択した受信手段からの操作信号を外部に出力する（受信手段選択ステップ）。
【００１０】
以上のように、複数の受信手段のうちいずれかがノイズによる影響を受けている場合であっても、ノイズによる影響を受けておらず正常なリモコン信号を受信可能とする他の受信手段を選択し、選択した受信手段からの正常なリモコン信号に応じた適切な操作信号を外部に出力できる。このため、リモコン信号受信装置が搭載された電子機器は、リモコン信号受信装置から出力される適切な操作信号により、利用者によるリモコンの入力操作に応じた適切な動作を行うこととなる。
さらに、従来の構成と比較して、リモコンから識別情報を含んだリモコン信号を送信させる必要がなく、リモコンの設計変更を実施する必要がない。また、リモコン信号中の識別情報の抽出、識別情報と登録識別情報との照合等が不要となり、各受信手段の回路構成を簡素化できる。さらに、設定モード時に、一度、各受信手段の有効または無効を設定しておけば、通常モード時では、有効または無効の設定状態に応じて受信手段を選択するだけの処理となるため、リモコン信号受信装置の処理負荷が増大することがない。
したがって、構成の簡素化が図れ、処理負荷が増大することなく、適切な操作信号を外部に出力できるため、本発明の目的を達成できる。
【００１１】
本発明のリモコン信号受信装置は、リモートコントローラからのリモコン信号を受信し、受信したリモコン信号に応じた操作信号を出力する複数の受信手段と、前記複数の受信手段を制御する制御手段とを備えたリモコン信号受信装置において、前記制御手段は、前記複数の受信手段のうちいずれかの受信手段を選択し、選択した前記受信手段からの前記操作信号を外部に出力する通常モード、および前記複数の受信手段の優先順位を設定する設定モードの各モードに移行させるモード移行部と、前記設定モード時において、前記複数の受信手段からの各前記操作信号の出力レベルに基づいて、前記複数の受信手段の優先順位を設定する優先順位設定部と、前記通常モード時において、前記優先順位設定部にて設定された優先順位に基づいて前記受信手段を選択し、選択した前記受信手段からの前記操作信号を外部に出力する受信手段選択部とを備えていることを特徴とする。
【００１２】
ここで、モード移行部は、上記同様に、利用者によるリモコンの入力操作によりモード移行情報が入力されることで各モードを移行させる構成としてもよく、あるいは、リモコン信号受信装置が搭載される電子機器の起動時に、自動的に通常モードから設定モードに移行させる構成としても構わない。
【００１３】
本発明では、リモコン信号受信装置を構成する制御手段は、モード移行部と、優先順位設定部と、受信手段選択部とを備えているので、以下に示すように、適切な操作信号を外部に出力できる。
先ず、モード移行部は、上記同様にモード移行ステップを実行する。
ここで、各受信手段から出力される各操作信号の出力レベルは、ノイズ源からのノイズの影響度合いに応じて異なるものである。例えば、ノイズ源に最も近接した位置に位置付けられた受信手段は、比較的に大きいノイズを受信するため、該ノイズに応じた操作信号の出力レベルが比較的に大きいものとなる。逆に、ノイズ源から最も離間した位置に位置付けられた受信手段は、比較的に小さいノイズを受信するため、該ノイズに応じた操作信号の出力レベルが比較的に小さい（出力レベルが０も含む）ものとなる。
そこで、優先順位設定部は、設定モード時において、各受信手段からの各操作信号の出力レベルを認識し、比較することで、出力レベルの大きい受信手段の優先順位を低く設定し、出力レベルの小さい受信手段の優先順位を高く設定する（優先順位設定ステップ）。すなわち、優先順位設定部は、ノイズの影響度合いの高い受信手段の優先順位を低く設定し、ノイズの影響度合いの低い受信手段の優先順位を高く設定する。
そして、受信手段選択部は、通常モード時において、優先順位の高い順に、操作信号を入力するまで、各受信手段を順次、選択し、選択した受信手段からの操作信号を外部に出力する（受信手段選択ステップ）。
【００１４】
以上のように、複数の受信手段のうち少なくともいずれかがノイズによる影響を受けている場合であっても、ノイズの影響度合いの低い受信手段を選択し、選択した受信手段からの適切な操作信号を外部に出力できる。このため、リモコン信号受信装置が搭載された電子機器は、リモコン信号受信装置から出力される適切な操作信号により、利用者によるリモコンの入力操作に応じた適切な動作を行うこととなる。
また、複数の受信手段の全てがノイズによる影響を受けている場合であっても、ノイズの影響度合いの低い受信手段を選択し、選択した受信手段からの適切な操作信号を外部に出力できるので、リモコンを入力操作しても電子機器が動作しない状態を回避しつつ、電子機器を適切に動作させることができる。
さらに、従来の構成と比較して、リモコンから識別情報を含んだリモコン信号を送信させる必要がなく、リモコンの設計変更を実施する必要がない。また、リモコン信号中の識別情報の抽出、識別情報と登録識別情報との照合等が不要となり、各受信手段の回路構成を簡素化できる。さらに、設定モード時に、一度、各受信手段の優先順位を設定しておけば、通常モード時では、優先順位に応じて受信手段を選択するだけの処理となるため、リモコン信号受信装置の処理負荷が増大することがない。
したがって、構成の簡素化が図れ、処理負荷が増大することなく、適切な操作信号を外部に出力できるため、本発明の目的を達成できる。
【００１５】
本発明の制御方法は、リモートコントローラからのリモコン信号を受信し、受信したリモコン信号に応じた操作信号を出力する複数の受信手段と、前記複数の受信手段を制御する制御手段とを備えたリモコン信号受信装置の制御方法であって、前記制御手段が、前記複数の受信手段のうちいずれかの受信手段を選択し、選択した前記受信手段からの前記操作信号を外部に出力する通常モード、および前記複数の受信手段を有効または無効にそれぞれ設定する設定モードの各モードに移行させるモード移行ステップと、前記設定モード時において、前記複数の受信手段からの各前記操作信号の出力状態に基づいて、前記複数の受信手段を有効または無効にそれぞれ設定する有効無効設定ステップと、前記通常モード時において、前記有効無効設定ステップにて有効に設定した前記受信手段を選択し、選択した前記受信手段からの前記操作信号を外部に出力する受信手段選択ステップとを実行することを特徴とする。
本発明の制御方法は、上述したリモコン信号受信装置にて実施されるため、上述したリモコン信号受信装置と同様の作用および効果を享受できる。
【００１６】
本発明の制御方法は、リモートコントローラからのリモコン信号を受信し、受信したリモコン信号に応じた操作信号を出力する複数の受信手段と、前記複数の受信手段を制御する制御手段とを備えたリモコン信号受信装置の制御方法であって、前記制御手段が、前記複数の受信手段のうちいずれかの受信手段を選択し、選択した前記受信手段からの前記操作信号を外部に出力する通常モード、および前記複数の受信手段の優先順位を設定する設定モードの各モードに移行させるモード移行ステップと、前記設定モード時において、前記複数の受信手段からの各前記操作信号の出力レベルに基づいて、前記複数の受信手段の優先順位を設定する優先順位設定ステップと、前記通常モード時において、前記優先順位設定ステップにて設定した優先順位に基づいて前記受信手段を選択し、選択した前記受信手段からの前記操作信号を外部に出力する受信手段選択ステップとを実行することを特徴とする。
本発明の制御方法は、上述したリモコン信号受信装置にて実施されるため、上述したリモコン信号受信装置と同様の作用および効果を享受できる。
【００１７】
本発明の電子機器は、上述したリモコン信号受信装置と、前記リモコン信号受信装置から出力された操作信号に基づいて、リモートコントローラの入力操作に応じた制御を実施する主制御装置とを備えていることを特徴とする。
本発明によれば、電子機器は、上述したリモコン信号受信装置を備えているので、上述したリモコン信号受信装置と同様の作用および効果を享受できる。
【００１８】
本発明の電子機器では、当該電子機器は、光源装置と、前記光源装置から射出された光束を画像情報に応じて変調する光変調装置と、前記光変調装置にて変調された光束を拡大投射する投射光学装置とを備えたプロジェクタであることが好ましい。
本発明では、プロジェクタは装置本体が天井に吊り下げられた状態で設置されたり、所定の高さ位置に設置されたりして使用される場合が多く、すなわち、照明器具等のノイズ源に近接した位置に設置されて使用される場合が多いため、上述した電子機器をプロジェクタとすることで、上述した効果を好適に図れる。
【発明を実施するための最良の形態】
【００１９】
[第１実施形態]
以下、本発明の第１実施形態を図面に基づいて説明する。
図１は、第１実施形態における電子機器としてのプロジェクタ１の構成を示すブロック図である。
プロジェクタ１は、入力した画像情報（画像信号）に対して所定の画像処理を施し、画像処理を施した画像情報に基づいて、光源から射出された光束を光学的に処理して画像光を形成し、スクリーン（図示略）に拡大投射する。このプロジェクタ１は、図１に示すように、画像投射装置１０と、リモートコントローラ２０（以下、リモコン２０と記載）と、リモコン信号受信装置３０と、主制御装置４０とで大略構成されている。
【００２０】
画像投射装置１０は、主制御装置４０による制御の下、画像光を形成してスクリーンに拡大投射する。この画像投射装置１０は、図１に示すように、光源装置１１と、光変調装置１２と、投射光学装置１３等を備える。
光源装置１１は、主制御装置４０による制御の下、光束を光変調装置１２に向けて射出する。この光源装置１１は、放電発光型の超高圧水銀ランプで構成されている。なお、光源装置１１としては、超高圧水銀ランプに限らず、メタルハライドランプ、キセノンランプ等の他の放電発光型の光源ランプを採用してもよい。さらに、放電発光型の光源ランプに限らず、発光ダイオード、レーザダイオード、有機ＥＬ(Electro Luminescence)素子、シリコン発光素子等の各種固体発光素子を採用してもよい。
【００２１】
光変調装置１２は、光源装置１１から射出された光束を主制御装置４０からの駆動信号に応じて画像光に変調して投射光学装置１３に射出する。
投射光学装置１３は、光変調装置１２から射出された画像光をスクリーンに向けて拡大投射する。
【００２２】
リモコン２０は、利用者による操作内容に応じた電気信号を赤外光に変換してリモコン信号を生成し、生成したリモコン信号をリモコン信号受信装置３０に送信する。このリモコン２０は、具体的な図示は省略したが、プロジェクタ１の電源ＯＮまたはＯＦＦを実施するための電源ボタン、音量調整を実施するための音量調整ボタン、投影画像の画質調整を実施するための画質調整ボタン、プロジェクタ１の操作説明等に関するヘルプ画面を表示させるためのヘルプボタン等を備え、利用者による各ボタンの押下に応じた電気信号を赤外光に変換してリモコン信号を生成し、該リモコン信号を送信する。
【００２３】
リモコン信号受信装置３０は、リモコン２０から送信されたリモコン信号を受信し、受信したリモコン信号に応じた操作信号を主制御装置４０に出力する。このリモコン信号受信装置３０は、図１に示すように、４つの受信手段３１と、制御手段３２とで大略構成されている。
４つの受信手段３１は、同様の構成を有し、図１に示すように、受光部３１１と、デコーダ３１２とを備える。
【００２４】
図２は、４つの受光部３１１の配設位置を模式的に示す図である。
４つの受光部３１１は、図２に示すように、プロジェクタ１の外装筐体２から露出して設けられ、画像光が投射されるフロント側、およびリア側にそれぞれ２つずつ配設されている。そして、各受光部３１１は、図２の１点鎖線で示す受光可能エリアＡｒ１〜Ａｒ４内のそれぞれの場所からのリモコン２０のリモコン信号を受光可能とし、受光したリモコン信号を電気信号に変換して各デコーダ３１２にそれぞれ出力する。各受光部３１１は、具体的な図示は省略したが、受光したリモコン信号を光電変換する変換手段の他、光電変換された電気信号を増幅する増幅手段等を備えている。
なお、以下では、説明の便宜上、図２に示すように、フロント側に設けられる２つの受光部３１１をそれぞれ受光部３１１Ａ，３１１Ｂとし、リア側に設けられる２つの受光部３１１をそれぞれ受光部３１１Ｃ，３１１Ｄとする。また、各受信手段３１および各デコーダ３１２についても、図２に示すように、各受光部３１１Ａ〜３１１Ｄに対応させて受信手段３１Ａ〜３１Ｄおよびデコーダ３１２Ａ〜３１２Ｄとする。
【００２５】
４つのデコーダ３１２は、図１に示すように、各受光部３１１にそれぞれ接続し、受光部３１１から出力される電気信号（リモコン信号）をデコードしてデコード信号（操作信号）をそれぞれ制御手段３２に出力する。
【００２６】
制御手段３２は、ＣＰＵ(Central Processing Unit)等を備え、メモリ３２４に記憶された制御プログラムにしたがって、所定の処理を実行する。この制御手段３２は、図１に示すように、メモリ３２４の他、モード移行部３２１と、有効無効設定部３２２と、受信手段選択部３２３等を備える。
モード移行部３２１は、リモコン信号受信装置３０において、４つの受信手段３１を有効または無効にそれぞれ設定する設定モード、およびメモリ３２４に記憶された後述する有効無効設定情報や優先順位情報に基づいて各受信手段３１のうちいずれかの受信手段３１を選択し、選択した受信手段３１からのデコード信号を主制御装置４０に出力する通常モードの各モードを移行させる。
ここで、優先順位情報とは、４つの受信手段３１を選択する際の優先順位に関する情報であり、メモリ３２４に予め記憶されている。なお、以下では、受信手段３１Ａが「優先順位：１」、受信手段３１Ｂが「優先順位：２」、受信手段３１Ｃが「優先順位：３」、受信手段３１Ｄが「優先順位：４」として設定された優先順位情報がメモリ３２４に予め記憶されているものとする。
【００２７】
本実施形態では、モード移行部３２１は、利用者によるリモコン２０の入力操作により、通常モードから設定モードに移行させる旨の設定モード移行情報が入力された場合に、リモコン信号受信装置３０を通常モードから設定モードに移行させる。
例えば、利用者によりリモコン２０のヘルプボタンが押下され、リモコン２０からヘルプボタンの押下に応じたリモコン信号が送信される。
各受信手段３１のうち少なくともいずれかの受信手段３１は、リモコン２０からの前記リモコン信号を受信し、デコード信号を制御手段３２に出力する。
モード移行部３２１は、メモリ３２４に記憶された優先順位情報に基づいて、デコード信号を入力するまで、順次、各受信手段３１を選択する。
【００２８】
例えば、受光可能エリアＡｒ４（図２）の一部を含む受光可能エリアＡｒ３（図２）内の場所でリモコン２０が入力操作された場合には、各受光部３１１Ａ〜３１１Ｄのうち受光部３１１Ｃ，３１１Ｄのみがリモコン信号を受光できる。
上記の例において、モード移行部３２１は、優先順位情報に基づいて、先ず、「優先順位：１」の受信手段３１Ａを選択し、受信手段３１Ａから出力されるデコード信号の出力状態を認識する。受信手段３１Ａにてリモコン信号が受光されておらず、受信手段３１Ａからのデコード信号の出力がないため、モード移行部３２１は、次の優先順位である「優先順位：２」の受信手段３１Ｂを選択し、受信手段３１Ｂから出力されるデコード信号の出力状態を認識する。上記同様に受信手段３１Ｂにてリモコン信号が受光されておらず、受信手段３１Ｂからのデコード信号の出力がないため、モード移行部３２１は、次の優先順位である「優先順位：３」の受信手段３１Ｃを選択し、受信手段３１Ｃから出力されるデコード信号の出力状態を認識する。上述したように、受信手段３１Ｃではリモコン信号が受光されているため、モード移行部３２１は、受信手段３１Ｃからのデコード信号を入力する。
そして、モード移行部３２１は、デコード信号を入力することで、利用者によりリモコン２０のヘルプボタンが押下されたことを認識する。また、モード移行部３２１は、デコード信号の入力状態が所定時間（例えば、５秒）、継続した場合、すなわち、利用者によりリモコン２０のヘルプボタンが前記所定時間、継続して押下された場合に、設定モード移行情報が入力されたことを認識し、通常モードから設定モードに移行させる。また、モード移行部３２１は、リモコン信号受信装置３０を設定モードに移行させるとともに、有効無効設定部３２２および主制御装置４０に設定モードに移行させた旨を通知する。
【００２９】
有効無効設定部３２２は、設定モード時において、各受信手段３１からの各デコード信号の出力状態に基づいて、各受信手段３１を有効または無効にそれぞれ設定する。そして、有効無効設定部３２２は、各受信手段３１を有効または無効にそれぞれ設定した後、各受信手段３１の有効または無効を示す有効無効設定情報をメモリ３２４に記憶させる。また、有効無効設定部３２２は、モード移行部３２１および主制御装置４０に設定が完了した旨を通知する。そして、モード移行部３２１は、リモコン信号受信装置３０を設定モードから通常モードに移行させる。また、モード移行部３２１は、受信手段選択部３２３および主制御装置４０に通常モードに移行させた旨を通知する。
【００３０】
受信手段選択部３２３は、通常モード時において、メモリ３２４に記憶された有効無効設定情報および優先順位情報に基づいて、各受信手段３１のうちいずれかを選択し、選択した受信手段３１からのデコード信号を主制御装置４０に出力する。
【００３１】
メモリ３２４は、リモコン信号受信装置３０の制御プログラムの他、有効無効設定部３２２にて処理された有効無効設定情報、モード移行部３２１や受信手段選択部３２３の処理に必要な優先順位情報等を記憶する。
【００３２】
主制御装置４０は、ＣＰＵ等を含んで構成され、図示しないメモリに記憶された制御プログラムにしたがって、プロジェクタ１全体を制御する。例えば、主制御装置４０は、外部機器から入力した画像データ（画像情報）や、図示しないメモリに記憶された画像データに対して所定の画像処理を施し、画像処理を施した画像データに応じた駆動信号を光変調装置１２に出力して画像（画像光）を形成させる。なお、前記所定の画像処理としては、例えば、解像度を光変調装置１２の解像度（画素数）に合わせる解像度変換処理、拡大・縮小等の画像サイズ調整処理、色相、色度、コントラスト、シャープネス、輝度、同期、およびトラッキング等の画質補正処理、ＯＳＤ（オンスクリーンディスプレイ）画像を合成するＯＳＤ画像合成処理、台形歪補正処理、ガンマ補正処理等の各種の画像処理が例示できる。
【００３３】
〔リモコン信号受信装置の動作（制御方法）〕
図３は、リモコン信号受信装置３０の動作を説明するフローチャートである。
図４は、リモコン信号受信装置３０の動作を説明するための図である。
次に、上述したリモコン信号受信装置３０の動作について図面を参照して説明する。
なお、以下では、プロジェクタ１は、天井に吊り下げられた状態で設置されているものとする。また、プロジェクタ１が天井に吊り下げられた状態で、図２に示すように、プロジェクタ１のリア側（受光部３１１Ｃ近傍）にノイズ源である蛍光灯Ｎｓが位置付けられているものとする。
また、以下では、プロジェクタ１の電源がＯＮされ、リモコン信号受信装置３０は、通常モードに設定されている状態から処理を開始するものとする。
【００３４】
先ず、モード移行部３２１は、利用者によりリモコン２０が入力操作され、設定モード移行情報が入力されたか否かを常時、監視する（ステップＳ１）。
ステップＳ１において、モード移行部３２１は、「Ｙ」と判定した場合には、リモコン信号受信装置３０を通常モードから設定モードに移行させる（ステップＳ２：モード移行ステップ）。また、モード移行部３２１は、設定モードに移行させた旨を主制御装置４０および有効無効設定部３２２に通知する。そして、主制御装置４０は、画像投射装置１０（光変調装置１２）を駆動制御し、図示しないメモリに記憶された画像データに基づく警告画面Ｆｇをスクリーン上に表示させる。
ここで、警告画面Ｆｇとしては、図４に示すように、利用者にリモコン２０の入力操作を停止させるメッセージが記載された画面である。そして、利用者は、警告画面Ｆｇを確認することで、警告画面Ｆｇの表示中（設定モード中）において、リモコン２０の入力操作を実施しないこととなる。
【００３５】
ステップＳ２の後、有効無効設定部３２２は、各受信手段３１からの各デコード信号の出力状態を認識する（ステップＳ３：有効無効設定ステップ）。
ここで、受光部３１１Ｃは、蛍光灯Ｎｓ近傍に位置付けられているため、蛍光灯Ｎｓからの光を受光し、光電変換して電気信号を継続して出力することとなる。このため、デコーダ３１２Ｃは、受光部３１１Ｃからの電気信号をデコードして、リモコン２０からのリモコン信号ではなく、蛍光灯Ｎｓからの光に応じたデコード信号を継続して制御手段３２出力してしまう。なお、本実施形態では、他の受光部３１１Ａ，３１１Ｂ，３１１Ｄにおいては、蛍光灯Ｎｓからの受光量が少ない状態、あるいは、蛍光灯Ｎｓからの光を受光していない状態とし、各受信手段３１Ａ，３１Ｂ，３１Ｄからはデコード信号が制御手段３２に出力されていないものとする。
【００３６】
ステップＳ３において、有効無効設定部３２２は、デコード信号を継続して出力していると認識した受信手段３１Ｃについては、「無効」に設定する（ステップＳ４：有効無効設定ステップ）。
一方、ステップＳ３において、有効無効設定部３２２は、デコード信号を継続して出力していないと認識した受信手段３１Ａ，３１Ｂ，３１Ｄについては、それぞれ「有効」に設定する（ステップＳ５：有効無効設定ステップ）。
【００３７】
ステップＳ４，Ｓ５の後、有効無効設定部３２２は、受信手段３１Ａが「有効」、受信手段３１Ｂが「有効」、受信手段３１Ｃが「無効」、受信手段３１Ｄが「有効」であることを示す有効無効設定情報をメモリ３２４に記憶させる（ステップＳ６：有効無効設定ステップ）。
ステップＳ６の後、有効無効設定部３２２は、各受信手段３１の有効または無効の設定が完了した旨をモード移行部３２１および主制御装置４０に通知する。そして、モード移行部３２１は、リモコン信号受信装置３０を設定モードから通常モードに移行させる（ステップＳ７：モード移行ステップ）。また、モード移行部３２１は、通常モードに移行させた旨を主制御装置４０および受信手段選択部３２３に通知する。そして、主制御装置４０は、画像投射装置１０（光変調装置１２）を駆動制御し、図４に示す警告画面Ｆｇの表示を中止する。
【００３８】
ステップＳ７の後、受信手段選択部３２３は、各受信手段３１からデコード信号が出力されているか、すなわち、利用者によりリモコン２０が入力操作されたか否かを常時、監視する（ステップＳ８）。
ステップＳ８において、受信手段選択部３２３は、「Ｙ」と判定した場合には、メモリ３２４に記憶された有効無効設定情報および優先順位情報に基づいて、各受信手段３１のうちいずれかの受信手段３１を選択し、選択した受信手段３１から出力されるデコード信号を主制御装置４０に出力する（ステップＳ９：受信手段選択ステップ）。
具体的に、受信手段選択部３２３は、有効無効設定情報として、有効に設定された各受信手段３１Ａ，３１Ｂ，３１Ｄを選択対象とし、無効に設定された受信手段３１Ｃを非選択対象とする。また、受信手段選択部３２３は、選択対象とした各受信手段３１Ａ，３１Ｂ，３１Ｄを、優先順位情報に基づく優先順位の順に、デコード信号を入力するまで、順次、各受信手段３１Ａ，３１Ｂ，３１Ｄを選択する。なお、受信手段選択部３２３による受信手段３１の選択方法は、上述したモード移行部３２１による受信手段３１の選択方法と同様であるため、説明を省略する。
【００３９】
例えば、受光可能エリアＡｒ３の一部を含む受光可能エリアＡｒ４（図２）内の場所でリモコン２０が入力操作された場合には、各受光部３１１Ａ〜３１１Ｄのうち受光部３１１Ｃ，３１１Ｄのみがリモコン信号を受光できる。
上記の例では、受信手段選択部３２３は、選択対象とした各受信手段３１Ａ，３１Ｂ，３１Ｄを、優先順位情報に基づく優先順位の順に、デコード信号を入力するまで、順次、各受信手段３１Ａ，３１Ｂ，３１Ｄを選択することで、ノイズの影響を受けた受信手段３１Ｃを選択することなく、最終的に、受信手段３１Ｄを選択することとなる。そして、受信手段選択部３２３は、選択した受信手段３１Ｄからのデコード信号を主制御装置４０に出力する。主制御装置４０は、リモコン信号受信装置３０（受信手段３１Ｄ）からのデコード信号に基づいて、利用者によるリモコン２０の入力操作を認識し、該入力操作に応じた制御を実施する。
【００４０】
上述した第１実施形態においては、以下の効果がある。
本実施形態では、リモコン信号受信装置３０を構成する制御手段３２は、モード移行部３２１と、有効無効設定部３２２と、受信手段選択部３２３とを備えている。このことにより、各受信手段３１のうち受信手段３１Ｃが蛍光灯Ｎｓからのノイズによる影響を受けている場合であっても、ノイズによる影響を受けておらず正常なリモコン信号を受信可能とする他の受信手段３１Ａ，３１Ｂ，３１Ｄのうちいずれかを選択し、選択した受信手段からの正常なリモコン信号に応じた適切なデコード信号を主制御装置４０に出力できる。このため、プロジェクタ１は、リモコン信号受信装置３０から出力される適切なデコード信号により、利用者によるリモコン２０の入力操作に応じた適切な動作を行うこととなる。
【００４１】
さらに、従来の構成と比較して、リモコン２０から識別情報を含んだリモコン信号を送信させる必要がなく、リモコン２０の設計変更を実施する必要がない。また、リモコン信号中の識別情報の抽出、識別情報と登録識別情報との照合等が不要となり、各受信手段３１の回路構成を簡素化できる。さらに、設定モード時において、一度、各受信手段３１の有効または無効を設定しておけば、通常モード時では、有効無効設定情報および優先順位情報に応じて受信手段３１を選択するだけの処理となるため、リモコン信号受信装置３０の処理負荷が増大することがない。
【００４２】
そして、プロジェクタ１は装置本体が天井に吊り下げられた状態で設置されたり、所定の高さ位置に設置されたりして使用される場合が多く、すなわち、蛍光灯Ｎｓ等のノイズ源に近接した位置に設置されて使用される場合が多いため、リモコン信号受信装置３０をプロジェクタ１に搭載することで、上述した効果を好適に図れる。
【００４３】
[第２実施形態]
次に、本発明の第２実施形態を図面に基づいて説明する。
図５は、第２実施形態における電子機器としてのプロジェクタ１Ａの構成を示すブロック図である。
前記第１実施形態では、リモコン信号受信装置３０を構成する制御手段３２は、設定モード時において、蛍光灯Ｎｓによるノイズの影響を受けている受信手段３１Ｃを「無効」に設定し、ノイズの影響を受けていない受信手段３１Ａ，３１Ｂ，３１Ｄをそれぞれ「有効」に設定する。そして、制御手段３２は、通常モード時において、有効無効設定情報および優先順位情報に基づいて、「有効」に設定した各受信手段３１Ａ，３１Ｂ，３１Ｄのうちいずれかの受信手段３１を選択している。
これに対して、第２実施形態では、プロジェクタ１Ａを構成するリモコン信号受信装置３０Ａにおいて、制御手段３２Ａは、蛍光灯Ｎｓによるノイズの影響度合いに基づいて、各受信手段３１の優先順位を設定し、メモリ３２４に記憶された優先順位情報を更新する。そして、制御手段３２Ａは、優先順位情報に基づいて、各受信手段３１のうちいずれかの受信手段３１を選択する。
本実施形態では、制御手段３２Ａの構成が異なるのみであり、その他の構成は前記第１実施形態と同様のものである。
【００４４】
制御手段３２Ａは、図５に示すように、前記第１実施形態で説明したモード移行部３２１、受信手段選択部３２３、およびメモリ３２４の他、優先順位設定部３２２Ａを備える。
優先順位設定部３２２Ａは、設定モード時において、各受信手段３１からの各デコード信号の出力レベルに基づいて、各受信手段３１の優先順位を設定する。そして、優先順位設定部３２２Ａは、メモリ３２４に記憶された優先順位情報を、設定した優先順位を示す優先順位情報に更新する。また、優先順位設定部３２２Ａは、各受信手段３１の優先順位を設定した後、前記第１実施形態で説明した有効無効設定部３２２と同様に、モード移行部３２１および主制御装置４０に設定が完了した旨を通知する。
【００４５】
なお、本実施形態における受信手段選択部３２３は、前記第１実施形態で説明した受信手段選択部３２３とは異なり、有効無効設定情報を用いることなく、メモリ３２４に記憶された優先順位情報のみに基づいて、各受信手段３１のうちいずれかを選択し、選択した受信手段３１からのデコード信号を主制御装置４０に出力するものである。
また、本実施形態におけるメモリ３２４は、前記第１実施形態で説明した有効無効設定部３２２が省略されていることにより、有効無効設定情報を記憶しない。
【００４６】
次に、第２実施形態におけるリモコン信号受信装置３０Ａの動作について図面を参照して説明する。
図６は、リモコン信号受信装置３０Ａの動作を説明するフローチャートである。
なお、本実施形態は、前記第１実施形態に対して、設定モード時の処理が異なるのみであるため、以下では、設定モード時の処理のみを主に説明し、その他の処理については説明を省略する。
また、以下では、前記第１実施形態とは異なり、蛍光灯Ｎｓ近傍に位置付けられた受光部３１１Ｃの他、各受光部３１１Ａ，３１１Ｂ，３１１Ｄも蛍光灯Ｎｓの光を受光し、受信手段３１Ｃの他、各受信手段３１Ａ，３１Ｂ，３１Ｄからも蛍光灯Ｎｓの光に応じたデコード信号が制御手段３２Ａに出力されているものとする。
【００４７】
ステップＳ２の後、優先順位設定部３２２Ａは、各受信手段３１からの各デコード信号の出力レベルを認識し、比較する（ステップＳ１１：優先順位設定ステップ）。
ここで、蛍光灯Ｎｓから離間するにしたがって、すなわち、図２に示す例では、受光部３１１Ｃ、受光部３１１Ａ、受光部３１１Ｄ、受光部３１１Ｂの順に、蛍光灯Ｎｓからの受光量が少なくなるものとする。このような各受光部３１１の受光状態では、各受信手段３１から出力される各デコード信号の出力レベルは、蛍光灯Ｎｓからの受光量の大きい順（蛍光灯Ｎｓによるノイズの影響度合いが高い順）、すなわち、受信手段３１Ｃ、受信手段３１Ａ、受信手段３１Ｄ、受信手段３１Ｂの順に小さくなる。
【００４８】
ステップＳ１１の後、優先順位設定部３２２Ａは、各デコード信号の出力レベルを比較した結果、各デコード信号の出力レベルの小さい順に、各受信手段３１の優先順位を設定する（ステップＳ１２：優先順位設定ステップ）。すなわち、優先順位設定部３２２Ａは、蛍光灯Ｎｓによるノイズの影響度合いの低い順に、受信手段３１Ｂが「優先順位：１」、受信手段３１Ｄが「優先順位：２」、受信手段３１Ａが「優先順位：３」、受信手段３１Ｃが「優先順位：４」として優先順位を設定する。
【００４９】
ステップＳ１２の後、優先順位設定部３２２Ａは、メモリ３２４に記憶された優先順位情報を、ステップＳ１２において設定した優先順位を示す優先順位情報に更新する（ステップＳ１３：優先順位設定ステップ）。
通常モード時でのステップＳ９においては、受信手段選択部３２３は、メモリ３２４に記憶された優先順位情報に基づいて、優先順位情報に基づく優先順位の順に、すなわち、受信手段３１Ｂ、受信手段３１Ｄ、受信手段３１Ａ、受信手段３１Ｃの順に、デコード信号を入力するまで、順次、各受信手段３１を選択する。そして、例えば、受光可能エリアＡｒ３の一部を含む受光可能エリアＡｒ４（図２）内の場所でリモコン２０が入力操作された場合には、ノイズの影響度合いが高い受信手段３１Ｃが選択されることなく、最終的に、受信手段３１Ｄが選択され、受信手段３１Ｄからのデコード信号が主制御装置４０に出力される。
【００５０】
上述した第２実施形態によれば、前記第１実施形態と同様の効果の他、以下の効果がある。
本実施形態では、リモコン信号受信装置３０Ａを構成する制御手段３２Ａは、モード移行部３２１と、優先順位設定部３２２Ａと、受信手段選択部３２３とを備えている。このことにより、各受信手段３１のうち少なくともいずれかが蛍光灯Ｎｓからのノイズによる影響を受けている場合であっても、ノイズの影響度合いの低い受信手段３１を選択し、選択した受信手段３１からの適切なデコード信号を主制御装置４０に出力できる。このため、プロジェクタ１Ａは、リモコン信号受信装置３０から出力される適切なデコード信号により、利用者によるリモコン２０の入力操作に応じた適切な動作を行うこととなる。
【００５１】
また、各受信手段３１の全てがノイズによる影響を受けている場合であっても、ノイズの影響度合いの低い受信手段３１を選択し、選択した受信手段３１からの適切なデコード信号を主制御装置４０に出力できるので、リモコン２０を入力操作してもプロジェクタ１が動作しない状態を回避しつつ、プロジェクタ１を適切に動作させることができる。
【００５２】
さらに、設定モード時に、一度、各受信手段３１の優先順位を設定しておけば、通常モード時では、優先順位情報に応じて受信手段３１を選択するだけの処理となるため、リモコン信号受信装置３０の処理負荷が増大することがない。
【００５３】
なお、本発明は前述の実施形態に限定されるものではなく、本発明の目的を達成できる範囲での変形、改良等は本発明に含まれるものである。
前記実施形態では、受光部３１１（受光手段３１）を４つで構成していたが、その数は、特に限定されず、２つ、３つ、あるいは、４つ以上であっても構わない。また、受光部３１１の配設位置も、前記実施形態で説明した配設位置に限らず、その他の位置に配設しても構わない。
【００５４】
前記実施形態では、モード移行部３２１は、利用者によりリモコン２０が入力操作され、設定モード移行情報が入力された場合に、リモコン信号受信装置３０，３０Ａを通常モードから設定モードに移行させていたが、これに限らない。例えば、プロジェクタ１の起動時に、自動的に通常モードから設定モードに移行させる構成としても構わない。
【００５５】
前記第１実施形態では、有効無効設定部３２２は、デコード信号を継続して出力している受信手段３１を「無効」に設定し、デコード信号を継続して出力していない受信手段３１を「有効」に設定していたが、これに限らない。例えば、デコード信号の出力レベルを認識し、出力レベルが所定の閾値以上である受信手段３１を「無効」に設定し、出力レベルが所定の閾値未満である受信手段３１を「有効」に設定する構成としても構わない。
【００５６】
前記実施形態において、光変調装置１２としては、透過型の液晶パネルや反射型の液晶パネルの他、ＤＭＤ(Digital Micromirror Device)(米国テキサスインスツルメント社の商標)等を採用してもよい。
前記実施形態では、スクリーンを観察する方向から画像投射を行うフロントタイプのプロジェクタ１のみを例示したが、本発明は、スクリーンを観察する方向とは反対側から画像投射を行うリアタイプのプロジェクタにも適用可能である。
前記実施形態では、電子機器としてプロジェクタを採用したが、これに限らず、リモコンにより操作可能とし、リモコン信号受信装置を備える電子機器であれば、例えば、パーソナルコンピュータ、液晶テレビ、プラズマテレビ、有機ＥＬディスプレイ等の表示手段を備えたテレビ受信機、ＨＤＤ(Hard Disk Drive)レコーダ、ＤＶＤ(Digital Versatile Disk)プレーヤ等の他の電子機器を採用しても構わない。
【産業上の利用可能性】
【００５７】
本発明のリモコン信号受信装置は、構成の簡素化が図れ、処理負荷が増大することなく、適切な操作信号を外部に出力できるため、プレゼンテーションやホームシアタに用いられるプロジェクタ等の電子機器に利用できる。
【図面の簡単な説明】
【００５８】
【図１】第１実施形態における電子機器としてのプロジェクタの構成を示すブロック図。
【図２】前記実施形態における４つの受光部の配設位置を模式的に示す図。
【図３】前記実施形態におけるリモコン信号受信装置の動作を説明するフローチャート。
【図４】前記実施形態におけるリモコン信号受信装置の動作を説明するための図。
【図５】第２実施形態における電子機器としてのプロジェクタの構成を示すブロック図。
【図６】前記実施形態におけるリモコン信号受信装置の動作を説明するフローチャート。
【符号の説明】
【００５９】
１，１Ａ・・・プロジェクタ（電子機器）、１１・・・光源装置、１２・・・光変調装置、１３・・・投射光学装置、２０・・・リモートコントローラ、３０，３０Ａ・・・リモコン信号受信装置、３１・・・受信手段、３２，３２Ａ・・・制御手段、４０・・・主制御装置、３２１・・・モード移行部、３２２・・・有効無効設定部、３２２Ａ・・・優先順位設定部、３２３・・・受信手段選択部、Ｓ２，Ｓ７・・・モード移行ステップ、Ｓ３〜Ｓ６・・・有効無効設定ステップ、Ｓ９・・・受信手段選択ステップ、Ｓ１１〜Ｓ１３・・・優先順位設定ステップ。
【図１】
2009077352.tif 000003
【図２】
2009077352.tif 000004
【図３】
2009077352.tif 000005
【図４】
2009077352.tif 000006
【図５】
2009077352.tif 000007
【図６】
2009077352.tif 000008